(57)【要約】【課題】低コスト及び短い施工期間で完全な防水効果を得ること。【解決手段】主要構造物に配設され、かつ排水手段を備えた、立体構築物２におけるコンクリート床２４及びその形成方法並びに排水装置。排水手段は、主要構造物の側縁外側に沿ってほぼ水平方向に延在するよう配設された側縁樋手段１００と、側縁樋手段１００の内側において相互に交差してほぼ水平方向に延在しかつ側縁樋手段１００に連通するよう主要構造物に配設された内側樋手段２００とを備えている。側縁樋手段１００と内側樋手段２００とに囲まれた水平空間、及び内側樋手段２００に囲まれた水平空間、をそれぞれ充填するよう打設されたコンクリートユニット２２から構成される。【選択図】          図６
2005048555.tif 000002
【特許請求の範囲】
【請求項１】
複数の支柱手段及び複数の梁手段とを含む主要構造物に配設され、かつ排水手段を備えた、立体構築物におけるコンクリート床において、
排水手段は、主要構造物の側縁外側に沿ってほぼ水平方向に延在するよう配設された側縁樋手段と、側縁樋手段の内側において相互に交差してほぼ水平方向に延在しかつ側縁樋手段に連通するよう主要構造物に配設された内側樋手段とを備え、
側縁樋手段と内側樋手段とに実質的に囲まれた水平空間、及び内側樋手段に囲まれた水平空間、をそれぞれ実質的に充填するよう打設された、複数のコンクリートユニットから実質的に構成される、
ことを特徴とする立体構築物のコンクリート床。
【請求項２】
主要構造物には、実質的に共通の水平面上に位置付けられ、かつ打設されたコンクリートユニットの一部領域が支持される水平支持面が配設され、内側樋手段は該水平支持面における一部領域を覆うよう配設され、側縁樋手段は該水平支持面を覆うことなく該水平支持面の側縁外側に沿って延在するよう配設され、コンクリートユニットの下面における少なくとも周縁領域は、該水平空間内に存在する該水平支持面の露呈領域を覆うよう打設される、請求項１記載の立体構築物のコンクリート床。
【請求項３】
コンクリートユニットの各々の上面と、側縁樋手段及び内側樋手段の各々の最上面とは、実質的に水平な共通の床面を形成する、請求項２記載の立体構築物のコンクリート床。
【請求項４】
側縁樋手段は、実質的に同一横断面形状を有する複数の側縁樋部材からなり、側縁樋部材は、一定の幅を有しかつ真っ直ぐに水平に延在する底板部と、底板部の両側縁から相互に平行に鉛直上方に延び出す側板部とを備え、側板部のうち、主要構造物に対し隣接して配置された内側の側板部は、主要構造物に対し内側の側板部よりも外方に離れて配置された外側の側板部よりも長く形成されている、請求項２又は請求項３記載の立体構築物のコンクリート床。
【請求項５】
内側の側板部の上端には水平両方向に延び出すフランジが形成され、フランジの上面は実質的に該床面上に存在する、請求項４記載の立体構築物のコンクリート床。
【請求項６】
外側の側板部の上端には、内側の側板部に向かって水平に延び出すフランジが形成されている、請求項４又は請求項５記載の立体構築物のコンクリート床。
【請求項７】
内側樋手段は、実質的に同一横断面形状を有する複数の内側樋部材及び実質的に同一横断面形状を有する複数の受入部材からなり、内側樋部材は、一定の幅を有しかつ真っ直ぐに水平に延在する底板部と、底板部の両側縁部から相互に平行に鉛直上方に同じ長さ延び出す側板部とを備え、側板部の各々における上下方向の相互に同じ中間位置には、それぞれ外方に水平に延び出すリブが形成され、側板部の各々の上端には水平両方向に延び出すフランジが形成され、
内側樋部材は、側縁樋部材の内側において相互に交差して延在しかつ側縁樋部材に対しては先端面が側縁樋部材の内側面に対向するよう該水平支持面に配設された受入部材に支持され、
受入部材は、一定の幅を有しかつ真っ直ぐに水平に延在する底板部と、底板部の両側縁部から相互に平行に鉛直上方に同じ長さ延び出す側板部と、側板部の各々における上下方向の相互に同じ中間位置間を底板部に平行に延在する受け板部とを備え、
内側樋部材は、リブより下方の領域を、受入部材の、側板部間における受け板部より上方の領域に上方から嵌合させることにより装着され、内側樋部材が受入部材に嵌合装着された状態で、内側樋部材におけるリブの各々の下面は、受入部材の側板部の上端面に対向して位置付けられ、内側樋部材の底板部の下面は、受入部材の受け板部の上面に対向して位置付けられる、
請求項４〜６のいずれか1項に記載の立体構築物のコンクリート床。
【請求項８】
受入部材と内側樋部材との間には薄板状のシール部材が挟み込まれる、請求項７記載の立体構築物のコンクリート床。
【請求項９】
側縁樋部材の底板部の高さは内側樋部材の底板部よりも低い位置に配置されている、請求項４〜８のいずれか1項に記載の立体構築物のコンクリート床。
【請求項１０】
受入部材が交差する領域には、平面形状が十字形の受入部材が配置され、十字形の受入部材の先端と側縁樋部材の内側との間、又は十字形の受入部材の先端と他の十字形の受入部材の先端との間には、それぞれ直線状に延在する受入部材が配置されている、請求項７〜９のいずれか1項に記載の立体構築物のコンクリート床。
【請求項１１】
内側樋部材は直線状に延在するよう形成され、かつ交差する領域において各々の一端は相互に突き合わされ、交差しない領域における他端部は、側縁樋部材の内側の側板部の上端部に形成された切欠きに上方から嵌合されて側縁樋部材内に突出させられる、請求項７〜１０のいずれか1項に記載の立体構築物のコンクリート床。
【請求項１２】
側縁樋部材、内側樋部材及び受入部材は、それぞれアルミニウムから一体に形成されている、請求項７〜１１のいずれか1項に記載の立体構築物のコンクリート床。
【請求項１３】
側縁樋手段を、複数の支柱手段及び複数の梁手段とを含む主要構造物の側縁外側に沿ってほぼ水平方向に延在するよう配設し、かつ内側樋手段を、側縁樋手段の内側において相互に交差してほぼ水平方向に延在しかつ側縁樋手段に連通するよう主要構造物に配設して排水手段を形成し、側縁樋手段と内側樋手段とに実質的に囲まれた水平空間、及び内側樋手段に囲まれた水平空間、の下面を実質的に閉塞するよう平板状の下型枠をセットした後、該空間にそれぞれコンクリートが実質的に充填されるよう打設することにより形成した複数のコンクリートユニットにより実質的にコンクリート床を形成する、
ことを特徴とする立体構築物におけるコンクリート床の形成方法。
【請求項１４】
主要構造物に、コンクリートユニットの一部領域が支持される水平支持面を配設し、内側樋手段を該水平支持面における一部領域を覆うよう配設し、側縁樋手段を該水平支持面を覆うことなく該水平支持面の側縁外側に沿って延在するよう配設することにより、該水平空間の少なくとも周縁部の下面を該水平支持面の露呈領域により形成し、該水平空間の、該水平支持面の露呈領域の内側に形成される開放領域を実質的に閉塞するように水平上面を有する下型枠を、該上面が該水平支持面と実質的に共通の水平面上に位置するようセットし、該水平面上において側縁樋手段と内側樋手段とに実質的に囲まれた水平空間、及び該水平面上において内側樋手段に囲まれた水平空間、にそれぞれコンクリートが実質的に充填されるよう打設する、請求項１３記載の立体構築物におけるコンクリート床の形成方法。
【請求項１５】
複数の支柱手段及び複数の梁手段とを含む主要構造物と、主要構造物に配設されたコンクリート床とを備えた立体構築物における該コンクリート床上の水を排水する、立体構築物におけるコンクリート床の排水装置において、
主要構造物の側縁外側に沿ってほぼ水平方向に延在するよう配設された側縁樋手段と、側縁樋手段の内側において相互に交差してほぼ水平方向に延在しかつ側縁樋手段に連通するよう主要構造物に配設された内側樋手段とを備え、
該コンクリート床は、側縁樋手段と内側樋手段とに実質的に囲まれた空間、及び内側樋手段に囲まれた空間、をそれぞれ実質的に充填するよう打設された、複数のコンクリートユニットから実質的に構成され、
側縁樋手段は上方に開放された側縁樋部材から構成され、内側樋手段は上方に開放された内側樋部材から構成され、
主要構造物の側縁外側には、複数のフェンス用支柱が、周方向に間隔をおいて直立するよう支持枠手段を介して配設され、側縁樋部材は主要構造物とフェンス用支柱との間を延在するよう配設され、いくつかのフェンス用支柱は角パイプから形成されかつ下端が開放され、角パイプから形成されたフェンス用支柱に対向する側縁樋部材の底には排水口が形成され、角パイプからなるフェンス用支柱の、主要構造物に対向する側面であって、該底よりも低い位置における側面には横穴が形成され、排水口と、角パイプからなるフェンス用支柱の横穴とはジョイントパイプにより連結され、該コンクリート床の内側樋部材から側縁樋部材に流入した水は、排水口、ジョイントパイプ及び角パイプからなるフェンス用支柱を通って排水される、
ことを特徴とする立体構築物におけるコンクリート床の排水装置。
【請求項１６】
角パイプから形成されたフェンス用支柱の、主要構造物に対向する側面であって支持枠手段の上側には、受入部材が該支柱に直交して該支柱と主要構造物の外側側縁との間を水平に延在するよう配設され、受入部材は上方に開放されたチャンネル形状をなし、側縁樋部材は受入部材に嵌合されて支持される、請求項１５記載の立体構築物におけるコンクリート床の排水装置。
【発明の詳細な説明】
【技術分野】
【０００１】
本発明は、例えば、ビルディング、立体駐車場などの立体構築物におけるコンクリート床、及び該コンクリート床の形成方法並びに立体構築物におけるコンクリート床の排水装置に関する。ここで、コンクリート床とは、コンクリート陸屋根、及び、コンクリート陸屋根又は屋根と、１階の床との間に配設されたコンクリート床（例えば、２階のコンクリート床、３階のコンクリート床・・・など）を含むものである。
【背景技術】
【０００２】
本発明者は、先に、複数の支柱手段及び複数の梁手段とを含む主要構造物に配設された複数のコンクリート製の床部材と、床部材により形成される床面上の水を排水するための排水手段とを備えた立体構築物を開発した（特許文献１参照）。排水手段は、床部材の各々間に形成される隙間にコーキング材を充填し、コーキング材の上面を床部材の各々の上面よりも低く形成し、コーキング材の上面と相互に隣接する床部材の相互に対向する側面間に排水溝を形成することにより構成されている。
【０００３】
床をプレキャストコンクリートにより形成する形態の上記立体構築物によれば、簡単な構成で優れた排水性及び防水性を確保できる、との効果が得られる。一方、陸屋根又は床を、現場においてコンクリートを打設することにより形成する形態の立体構築においては、陸屋根又は床の全領域をコンクリートで打設した後に、コンクリートの収縮によるクラックの発生を防止するため、カッタにより目地を平面から見てほぼ格子状に形成するのが一般的である。そして、防水の観点から、該目地に防水モルタルなどの目地材を挿入することも一般に行われている。しかしながら、このような施工方法は、施工が大掛かりとなり、施工費用がアップすると共に、施工期間が長くなる、などの問題を有している。他方、打設したコンクリートの上に、ウレタン防水処理あるいは、アスファルト防水処理などを施す施工も行われている。しかしながら、この施工方法も、ウレタン防水処理あるいはアスファルト防水処理などは、非常に高価である上に、施工期間が長くなる、などの問題を有している。また、排水性についても十分満足できるものとはいえない。したがって、コンクリート陸屋根を含むコンクリート床及びコンクリート床の施工方法（形成方法）に関しては、低コスト及び短い施工期間で完全な防水効果を得ることが強く要望されている、というのが実状である。また、コンクリート床の排水についても、簡単な構成で優れた排水性を確保できる排水装置の開発が望まれているところであった。
【０００４】
本出願に関する先行技術情報として次のものがある。
【特許文献１】特開２００２−１９４８１４号公報
【発明の開示】
【発明が解決しようとする課題】
【０００５】
本発明の目的は、低コスト及び短い施工期間で完全な防水効果を得ることを可能にする、新規な立体構築物のコンクリート床及び該コンクリート床の形成方法を提供することである。
【０００６】
本発明の他の目的は、排水機能、コンクリートの収縮によって生ずるクラックを防止するための目地板としての機能及びコンクリート打設時における型枠としての機能を兼ね備えた樋手段を含む、新規な立体構築物のコンクリート床及び該コンクリート床の形成方法を提供することである。
【０００７】
本発明の更に他の目的は、簡単な構成で優れた排水性を確保できる、新規な立体構築物の排水装置を提供することである。
【課題を解決するための手段】
【０００８】
本発明の一局面によれば、複数の支柱手段及び複数の梁手段とを含む主要構造物に配設され、かつ排水手段を備えた、立体構築物におけるコンクリート床において、排水手段は、主要構造物の側縁外側に沿ってほぼ水平方向に延在するよう配設された側縁樋手段と、側縁樋手段の内側において相互に交差してほぼ水平方向に延在しかつ側縁樋手段に連通するよう主要構造物に配設された内側樋手段とを備え、側縁樋手段と内側樋手段とに実質的に囲まれた水平空間、及び内側樋手段に囲まれた水平空間、をそれぞれ実質的に充填するよう打設された、複数のコンクリートユニットから実質的に構成される、ことを特徴とする立体構築物のコンクリート床、が提供される。
主要構造物には、実質的に共通の水平面上に位置付けられ、かつ打設されたコンクリートユニットの一部領域が支持される水平支持面が配設され、内側樋手段は該水平支持面における一部領域を覆うよう配設され、側縁樋手段は該水平支持面を覆うことなく該水平支持面の側縁外側に沿って延在するよう配設され、コンクリートユニットの下面における少なくとも周縁領域は、該水平空間内に存在する該水平支持面の露呈領域を覆うよう打設される、ことが好ましい。
コンクリートユニットの各々の上面と、側縁樋手段及び内側樋手段の各々の最上面とは、実質的に水平な共通の床面を形成する、ことが好ましい。
側縁樋手段は、実質的に同一横断面形状を有する複数の側縁樋部材からなり、側縁樋部材は、一定の幅を有しかつ真っ直ぐに水平に延在する底板部と、底板部の両側縁から相互に平行に鉛直上方に延び出す側板部とを備え、側板部のうち、主要構造物に対し隣接して配置された内側の側板部は、主要構造物に対し内側の側板部よりも外方に離れて配置された外側の側板部よりも長く形成されている、ことが好ましい。
内側の側板部の上端には水平両方向に延び出すフランジが形成され、フランジの上面は実質的に該床面上に存在する、ことが好ましい。
外側の側板部の上端には、内側の側板部に向かって水平に延び出すフランジが形成されている、ことが好ましい。
内側樋手段は、実質的に同一横断面形状を有する複数の内側樋部材及び実質的に同一横断面形状を有する複数の受入部材からなり、内側樋部材は、一定の幅を有しかつ真っ直ぐに水平に延在する底板部と、底板部の両側縁部から相互に平行に鉛直上方に同じ長さ延び出す側板部とを備え、側板部の各々における上下方向の相互に同じ中間位置には、それぞれ外方に水平に延び出すリブが形成され、側板部の各々の上端には水平両方向に延び出すフランジが形成され、内側樋部材は、側縁樋部材の内側において相互に交差して延在しかつ側縁樋部材に対しては先端面が側縁樋部材の内側面に対向するよう該水平支持面に配設された受入部材に支持され、受入部材は、一定の幅を有しかつ真っ直ぐに水平に延在する底板部と、底板部の両側縁部から相互に平行に鉛直上方に同じ長さ延び出す側板部と、側板部の各々における上下方向の相互に同じ中間位置間を底板部に平行に延在する受け板部とを備え、内側樋部材は、リブより下方の領域を、受入部材の、側板部間における受け板部より上方の領域に上方から嵌合させることにより装着され、内側樋部材が受入部材に嵌合装着された状態で、内側樋部材におけるリブの各々の下面は、受入部材の側板部の上端面に対向して位置付けられ、内側樋部材の底板部の下面は、受入部材の受け板部の上面に対向して位置付けられる、ことが好ましい。
受入部材と内側樋部材との間には薄板状のシール部材が挟み込まれる、ことが好ましい。
側縁樋部材の底板部の高さは内側樋部材の底板部よりも低い位置に配置されている、ことが好ましい。
受入部材が交差する領域には、平面形状が十字形の受入部材が配置され、十字形の受入部材の先端と側縁樋部材の内側との間、又は十字形の受入部材の先端と他の十字形の受入部材の先端との間には、それぞれ直線状に延在する受入部材が配置されている、ことが好ましい。
内側樋部材は直線状に延在するよう形成され、かつ交差する領域において各々の一端は相互に突き合わされ、交差しない領域における他端部は、側縁樋部材の内側の側板部の上端部に形成された切欠きに上方から嵌合されて側縁樋部材内に突出させられる、ことが好ましい。
側縁樋部材、内側樋部材及び受入部材は、それぞれアルミニウムから一体に形成されている、ことが好ましい。
【０００９】
本発明の他の局面によれば、側縁樋手段を、複数の支柱手段及び複数の梁手段とを含む主要構造物の側縁外側に沿ってほぼ水平方向に延在するよう配設し、かつ内側樋手段を、側縁樋手段の内側において相互に交差してほぼ水平方向に延在しかつ側縁樋手段に連通するよう主要構造物に配設して排水手段を形成し、側縁樋手段と内側樋手段とに実質的に囲まれた水平空間、及び内側樋手段に囲まれた水平空間、の下面を実質的に閉塞するよう平板状の下型枠をセットした後、該空間にそれぞれコンクリートが実質的に充填されるよう打設することにより形成した複数のコンクリートユニットにより実質的にコンクリート床を形成する、ことを特徴とする立体構築物におけるコンクリート床の形成方法、が提供される。
主要構造物に、コンクリートユニットの一部領域が支持される水平支持面を配設し、内側樋手段を該水平支持面における一部領域を覆うよう配設し、側縁樋手段を該水平支持面を覆うことなく該水平支持面の側縁外側に沿って延在するよう配設することにより、該水平空間の少なくとも周縁部の下面を該水平支持面の露呈領域により形成し、該水平空間の、該水平支持面の露呈領域の内側に形成される開放領域を実質的に閉塞するように水平上面を有する下型枠を、該上面が該水平支持面と実質的に共通の水平面上に位置するようセットし、該水平面上において側縁樋手段と内側樋手段とに実質的に囲まれた水平空間、及び該水平面上において内側樋手段に囲まれた水平空間、にそれぞれコンクリートが実質的に充填されるよう打設する、ことが好ましい。
【００１０】
本発明の更に他の局面によれば、複数の支柱手段及び複数の梁手段とを含む主要構造物と、主要構造物に配設されたコンクリート床とを備えた立体構築物における該コンクリート床上の水を排水する、立体構築物におけるコンクリート床の排水装置において、
主要構造物の側縁外側に沿ってほぼ水平方向に延在するよう配設された側縁樋手段と、側縁樋手段の内側において相互に交差してほぼ水平方向に延在しかつ側縁樋手段に連通するよう主要構造物に配設された内側樋手段とを備え、
該コンクリート床は、側縁樋手段と内側樋手段とに実質的に囲まれた空間、及び内側樋手段に囲まれた空間、をそれぞれ実質的に充填するよう打設された、複数のコンクリートユニットから実質的に構成され、
側縁樋手段は上方に開放された側縁樋部材から構成され、内側樋手段は上方に開放された内側樋部材から構成され、
主要構造物の側縁外側には、複数のフェンス用支柱が、周方向に間隔をおいて直立するよう支持枠手段を介して配設され、側縁樋部材は主要構造物とフェンス用支柱との間を延在するよう配設され、いくつかのフェンス用支柱は角パイプから形成されかつ下端が開放され、角パイプから形成されたフェンス用支柱に対向する側縁樋部材の底には排水口が形成され、角パイプからなるフェンス用支柱の、主要構造物に対向する側面であって、該底よりも低い位置における側面には横穴が形成され、排水口と、角パイプからなるフェンス用支柱の横穴とはジョイントパイプにより連結され、該コンクリート床の内側樋部材から側縁樋部材に流入した水は、排水口、ジョイントパイプ及び角パイプからなるフェンス用支柱を通って排水される、
ことを特徴とする立体構築物におけるコンクリート床の排水装置、が提供される。
角パイプから形成されたフェンス用支柱の、主要構造物に対向する側面であって支持枠手段の上側には、受入部材が該支柱に直交して該支柱と主要構造物の外側側縁との間を水平に延在するよう配設され、受入部材は上方に開放されたチャンネル形状をなし、側縁樋部材は受入部材に嵌合されて支持される、ことが好ましい。
【発明を実施するための最良の形態】
【００１１】
以下、本発明の好適な実施の形態を添付図面を参照して詳細に説明する。
【００１２】
図１及び図2を参照して、立体構築物２の全体構成を概略的に説明する。３階式立体駐車場に適用される立体構築物２は全体として直方体形状に組み立てられ、地面に配設された図示しない基礎手段に設置される。立体構築物２はそれぞれ複数の直立壁部材４及び６を備えている。直立壁部材４及び６の各々は、鉄筋コンクリートから一体に成形され、かつそれぞれ実質的に共通部品から構成されている。直立壁部材４及び６は、それぞれ水平横方向［立体構築物２の幅方向（図１及び図２のほぼ左上−右下方向）］に間隔を置いて配置されると共に、水平横方向に直交する方向である水平縦方向［立体構築物２の長手（縦）方向（図１及び図２のほぼ左下−右上方向）］に間隔を置いて配置されている。以下、「水平横方向」は「横方向」、「水平縦方向」は「縦方向」と、それぞれ略称する。
【００１３】
直立壁部材４と６との横方向間隔は、それぞれ実質上同一であり、直立壁部材４の各々の縦方向間隔及び直立壁部材６の各々の縦方向間隔はそれぞれ実質上同一である。直立壁部材４と６との横方向に対向する上端部間及び上下方向のほぼ中央部間は、それぞれ１個（合計２個）の梁手段である水平横梁部材８により分離自在に連結されている（図２においては上端部間を連結する水平横梁部材８のみが図示されている）。水平横梁部材８の各々は、ウェブ、上フランジ及び下フランジからなるＨ鋼から形成され、Ｈ鋼の各々は共通部品から構成されている。
【００１４】
直立壁部材４の各々の縦方向に対向する上端部間及び上下方向のほぼ中央部間は、それぞれ複数個の、実施形態においては２個（合計４個）の梁手段である水平縦梁部材１０により分離自在に連結されている（図２においては上端部間を連結する水平縦梁部材１０のみが図示されている）。また、直立壁部材６の各々の縦方向に対向する上端部間及び上下方向のほぼ中央部間は、それぞれ複数個の、実施形態においては２個（合計４個）の梁手段である水平縦梁部材１２により分離自在に連結されている（図２においては上端部間を連結する水平縦梁部材１２のみが図示されている）。水平縦梁部材１０及び１２の各々は、ウェブ、上フランジ及び下フランジからなるＨ鋼から形成され、Ｈ鋼の各々は共通部品から構成されている。
【００１５】
縦方向に対向する水平横梁部材８の各々は、それぞれ複数個の、実施形態においては３個の梁手段である中間水平縦梁部材１４により分離自在に連結されている。中間水平縦梁部材１４の各々は、ウェブ、上フランジ及び下フランジからなるＨ鋼から形成され、Ｈ鋼の各々は共通部品から構成されている。なお、複数の支柱手段を構成する直立壁部材４と６の各々、複数の梁手段を構成する水平横梁部材８の各々、水平縦梁部材１０と１２の各々及び中間水平縦梁部材１４の各々は、立体構築物２の主要構造物を構成する。主要構造物の構成は、もちろん実施形態に限定されるものではなく、本発明が適用可能な構成であれば、他の実施形態であってもよいことはいうまでもない。例えば、支柱手段を、直立壁部材４と６に代えて、横断面が角形あるいは丸型の、金属製の管部材あるいは鉄筋コンクリート製の支柱から構成する他の実施形態であってもよい。
【００１６】
図示はされていないが、直立壁部材４と６との横方向に対向する上下方向のほぼ中央部間を連結する水平横梁部材８の各々の上面（上フランジの水平上面であって、以下同じ）、直立壁部材４の各々の縦方向に対向する上下方向のほぼ中央部間を連結する水平縦梁部材１０の各々の上面、直立壁部材６の各々の縦方向に対向する上下方向のほぼ中央部間を連結する水平縦梁部材１２の各々の上面及び直立壁部材４と６との横方向に対向する上下方向のほぼ中央部間を連結する水平横梁部材８の各々間を連結する中間水平縦梁部材１４の各々の上面は、実質的に共通の水平面上に位置付けられる。該上面の各々は、後述する内側樋手段２００が支持される水平支持面及び後述するとおりにして打設される複数のコンクリートユニット１６の一部領域が支持される水平支持面を形成する。直立壁部材４及び６の側面には、適宜の突起部（不図示）が形成され、該突起部の上面により、上記水平支持面と実質的に共通の水平面上に位置付けられる水平支持面が形成されることが好ましい。コンクリートユニット１６の各々は２階のコンクリート床１８を構成し、コンクリートユニット１６の各々の上面は実質的に水平な共通の床面（２階の床面）を形成する。２階のコンクリート床１８は実質的に矩形状の周縁を有し、該周縁に沿ってフェンス２０が配設されている。
【００１７】
上記したのと同様にして、直立壁部材４と６の上端面、直立壁部材４と６との横方向に対向する上端部間を連結する水平横梁部材８の各々の上面、直立壁部材４の各々の縦方向に対向する上端部間を連結する水平縦梁部材１０の各々の上面、直立壁部材６の各々の縦方向に対向する上端部間を連結する水平縦梁部材１２の各々の上面及び直立壁部材４と６との横方向に対向する上端部間を連結する水平横梁部材８の各々間を連結する中間水平縦梁部材１４の各々の上面は、実質的に共通の水平面上に位置付けられる。該上面の各々は、後述する内側樋手段２００が支持される水平支持面Ｓ及び後述するとおりにして打設される複数のコンクリートユニット１６の一部領域が支持される水平支持面Ｓを形成する。コンクリートユニット２２の各々は３階のコンクリート床２４、実施形態においては陸屋根２４を構成し、コンクリートユニット２２の各々の上面は実質的に水平な共通の床面（３階の床面、すなわち陸屋根２４の床面）を形成する。３階のコンクリート床２４は実質的に矩形状の周縁を有し、該周縁に沿ってフェンス２６が配設されている。なお、図示の実施形態において、１階の床面２８は地面を覆うよう配設されたコンクリートにより形成されている。
【００１８】
図１に示す立体構築物２には、２階のコンクリート床１８と地面とを結ぶ図示しないスロープが配設される。また、２階のコンクリート床１８と３階のコンクリート床２４との間にも図示しない連絡通路が配設される。これらのスロープ及び連絡通路が配置される領域におけるフェンス２０及び２６は、部分的に除去されることはいうまでもない。
【００１９】
次に本発明によるコンクリート床２４について説明する。図３〜図６に示されているように、コンクリート床２４は排水手段を備えている。コンクリート床２４の排水手段は、主要構造物の側縁外側に沿ってほぼ水平方向に延在するよう配設された側縁樋手段１００と、側縁樋手段１００の内側においてほぼ水平方向に延在するよう主要構造物に配設された内側樋手段２００とを備えている。側縁樋手段１００は、相互に実質的に同一断面を有する複数の側縁樋部材１０２から構成されている。内側樋手段２００は、相互に実質的に同一断面を有する複数の内側樋部材２０２及び相互に実質的に同一断面を有する複数の受入部材２０４から構成されている。内側樋部材２０２は相互に直角に交差しており、かつ相互に連通させられると共に側縁樋部材２０２に連通させられている。内側樋部材２０２は、側縁樋部材１０２の内側において相互に交差して延在し、かつ側縁樋部材１０２に対しては先端面が側縁樋部材１０２の内側面に対向するよう主要構造物に配設された受入部材２０４、に支持されている。そして、コンクリート床２４は、側縁樋部材１０２と内側部材２０２とに実質的に囲まれた水平空間、及び内側部材２０２に囲まれた水平空間、をそれぞれ実質的に充填するよう打設された、複数のコンクリートユニット２２から実質的に構成される。該水平空間の各々は、平面矩形状をなしている。
【００２０】
更に具体的に説明すると、側縁樋部材１０２は、主要構造物（図２参照）の側縁を規定する、直立壁部材４と６の上端部、直立壁部材４と６との横方向に対向する上端部間を連結する水平横梁部材８、直立壁部材４の各々の縦方向に対向する上端部間を連結する水平縦梁部材１０と１２の各々、の外側に沿ってほぼ水平に延在するよう配設されている。
【００２１】
側縁樋部材１０２は、図１８に示されているように、一定の幅を有しかつ真っ直ぐに水平に延在する底板部１０４と、底板部１０４の両側縁から相互に平行に鉛直上方に延び出す側板部１０６及び１０８とを備えている。側板部１０６及び１０８のうち、主要構造物に対し隣接して配置される内側の側板部１０６は、主要構造物に対し内側の側板部１０６よりも外方に離れて配置された外側の側板部１０８よりも長く形成されている。内側の側板部１０６の上端には水平両方向に延び出すフランジ１０６ａが形成されている。外側の側板部１０８の上端には、内側の側板部１０６に向かって水平に延び出すフランジ１０８ａが形成されている。
【００２２】
以上のように構成された側縁樋部材１０２が主要構造物の側縁外側に配設された状態で、内側の側板部１０６のフランジ１０６ａは、上記水平支持面Ｓよりも上方に延び出すよう位置付けられる。図１、図２、図７及び図８を参照して、主要構造物の側縁外側には、複数のフェンス用支柱３０が、周方向に間隔をおいて直立するよう支持枠手段を介して配設されている。側縁樋部材１０２は主要構造物とフェンス用支柱３０との間を延在するよう配設されている。図７及び図８には、直立壁部材６の各々の縦方向に対向する上端部間を連結する水平縦梁部材１２のうち、主要構造物の側縁に位置する水平縦梁部材１２の側縁外側に、フェンス用支柱３０及び側縁樋部材１０２が取り付けられた状態が図示されている。鉛直方向に延在するフェンス用支柱３０は角パイプから形成され、かつ地面の近傍に位置する下端が開放されている。
【００２３】
支柱３０の両側面（主要構造物の側縁に沿った方向であって、図８において上下方向に対向する両側面）には、水平縦梁部材１２の側面に向かって延び出す一対の支持板３２が溶接により固着されている。支持板３２の各々の上端面は、支柱３０に直交する水平面上に位置付けられている。支柱３０の、水平縦梁部材１２の側面に対向する前面（図７及び図８において右側面）には、上方に開放されたチャンネル形の受入部材３３が、支柱３０に直交して水平方向に延在するよう配設されている。受入部材３３は、一定の幅を有しかつ真っ直ぐに水平に延在する底板部３４と、底板部３４の両側縁から相互に平行に鉛直上方に延び出す側板部３５及び３６とを備えている。受入部材３３の側面３５は矩形状に切りかかれて支柱３０の前面にはめ込まれ、受入部材３３の底板部３４の下面は、支持板３２の各々の上端面に戴置され、それぞれ溶接により支柱３０及び支持板３２の各々に固着されている。水平縦梁部材１２の側面には、一対のガセットプレート３７が溶接により固着されている。ほぼ矩形状のガセットプレート３７の各々は、水平縦梁部材１２の上フランジ及び下フランジ間を鉛直に延在し、かつ片面が相互に間隔をおいて対向するよう位置付けられている。支柱３０は、支持板３２の各々がガセットプレート３７の各々の他面（外側面）を挟むよう配置されて、ボルト３８により締結されることにより、鉛直方向に延在するよう水平縦梁部材１２に取り付けられる（支持板３２及びガセットプレート３７の各々は支柱３０の支持枠手段を構成する）。受入部材３３の側面３６は水平縦梁部材１２の上フランジの側面及びガセットプレート３７の側面に当接させられる。
【００２４】
側縁樋部材１０２は、受入部材３３に上方から嵌合されて支持される。支柱３０に対向する側縁樋部材１０２における底板部１０４であって、支持板３２の各々間の領域には排水口１０４ａが形成されている。受入部材３３の底板部３４にも、排水口１０４ａに対応して貫通穴３４ａが形成されている。支柱３０の上記前面であって、側縁樋部材１０２の底板部１０４よりも低い位置における前面には横穴４０が形成されている。受入部材３３の底板部３４と支柱３０の上記前面との間には、曲げパイプであるジョイントパイプ４２が溶接により一体に固着されている。ジョイントパイプ４２の上端は、受入部材３３の底板部３４の下面における貫通穴３４ａの周縁に固着され、他端部は支柱３０の上記前面から横穴４０を貫通して支柱３０の内部に突出させられ、開口している。側縁樋部材１０２は、排水口１０４ａが受入部材３３の底板部３４における貫通穴３４ａに整合するよう、受入部材３３に嵌合されて支持されるので、排水口１０４ａ及び貫通穴３４ａと横穴４０とは、ジョイントパイプ４２により連結される。側縁樋部材１０２に流入した水は、排水口１０４ａ、貫通穴３４ａ、ジョイントパイプ４２及び支柱３０を通って地面に排水される。
【００２５】
このように、本発明による排水装置においては、複数の支柱のうちのいくつかの支柱３０を適宜に利用することで、特別な配水管を設置することなく排水が可能であるので、簡単な構成及び低コストで所要の排水性を確保することができる。上記のように排水管として利用する支柱３０は、フェンス２６と２０の支柱を兼用することが好ましい。また、排水管として利用する支柱３０は、主要構造物の側縁に位置する直立壁部材４、６の外側、水平縦梁部材１０の外側、水平横梁部材８の外側の適宜の位置に、上記したのと実質的に同じようにして配設することができる。
【００２６】
図９及び図１０には、直立壁部材４の水平縦方向の外側に、上記フェンス用支柱３０及び側縁樋部材１０２が取り付けられた状態が図示されている。支柱３０の上記両側面には、直立壁部材４の上端部における鉛直外側面に配設された補強板４３に向かって延び出す一対の支持板４４が溶接により固着されている。支持板４４の各々の先端には、フランジ部４４ａが相互に離隔する方向に直角に折り曲げ形成されている。フランジ部４４ａを含む支持板４４の各々の上端面は、支柱３０に直交する水平面上に位置付けられている。支柱３０の、補強板４３に対向する前面には、上記受入部材３３が、支柱３０に直交して水平方向に延在するよう配設されている。受入部材３３は、上記したのと実質的に同じとおりにして、支柱３０及び支持板４４の各々に固着されている。支柱３０は、支持板４４の各々のフランジ部４４ａが補強板４３に当接されてボルト４５により締結されることにより、鉛直方向に延在するよう直立壁部材４の鉛直上端面に取り付けられる（支持板４４の各々は支柱３０の支持枠手段を構成する）。受入部材３３の側面３６は補強板４３に当接させられる。その他の構成は、図７及び図８に示す構成と実質的に同じであるので、同一部分は同一符号で示し、説明は省略する。
【００２７】
上記したように、側縁樋部材１０２は、受入部材３３に上方から嵌合させるだけで、主要構造物の側縁外側に配設することができるので、ボルトナット、溶接などの作業が不要であり、したがって組付作業性が著しく向上し、施工期間の短縮と、コストダウンを可能にする。複数の側縁樋部材１０２を主要構造物の側縁外側に実質的に連続して配設することにより排水溝を形成することができるが、一つの側縁における排水溝全体の長さの調整は、一対の側縁樋部材１０２の先端同士を受入部材３３の領域で突き合わせることにより容易に行うことができる。両者の突合せ部において、受入部材３３と一対の側縁樋部材１０２の先端部との間に、薄板状のシール部材を挟み込ませることにより、あるいはまた、防水性の接着剤を介在させることにより、連結強度及び防水性を十分に確保することができる。薄板状のシール部材としては、比較的軟質の、弾性を有するシール部材であることが好ましく、例えば、スポンジゴム、ウレタンゴムなどが好適である。なお、受入部材３３は、フェンス用の支柱とは独立して適宜の位置に配設することも容易に可能である。
【００２８】
内側樋手段２００は、先に触れたように、実質的に同一断面を有する複数の内側樋部材２０２及び実質的に同一断面を有する複数の受入部材２０４から構成されている。図１１を参照して、内側樋部材２０２は、一定の幅を有しかつ真っ直ぐに水平に延在する底板部２１０と、底板部２１０の両側縁部から相互に平行に鉛直上方に同じ長さ延び出す側板部２１２とを備えている。側板部２１２の各々における上下方向の相互に同じ中間位置には、それぞれ外方に水平に延び出すリブ２１４が形成されている。底板部２１０の下面は水平面上に位置付けられている。リブ２１４の各々の下面は実質的に共通の水平面上に位置付けられている。側板部２１２の各々の上端には水平両方向に延び出すフランジ２１６が形成されている。フランジ２１６の各々の上面は実質的に共通の水平面上に位置付けられている。この内側樋部材２０２は、幅方向（図１１においてほぼ左右方向）の中心を通る鉛直線に対し、幅方向に対称形状をなす。
【００２９】
図１１及び図１６を参照して、受入部材２０４は、この実施形態においては、直線状に水平に細長く延在する受入部材２０４Ａと、平面形状が十字形の受入部材２０４Ｂとを備えている。受入部材２０４Ａは、図１１に示されているように、一定の幅を有しかつ真っ直ぐに水平に延在する底板部２２０と、底板部２２０の両側縁部から相互に平行に鉛直上方に同じ長さ延び出す側板部２２２と、側板部２２２の各々における上下方向の相互に同じ中間位置間を底板部２２０に平行に延在する受け板部２２４とを備えている。側板部２２２の各々の上端面は実質的に共通の水平面上に位置付けられている。受け板部２２４の上面及び底板部２２０の下面は、それぞれ実質的に共通の水平面上に位置付けられている。底板部２２０の幅は、側板部２２２の全幅よりも大きく形成され、側板部２２２の各々からの側外方への突出量は相互に等しい。この受入部材２０４Ａは、幅方向（図１１においてほぼ左右方向）の中心を通る鉛直線に対し、幅方向に対称形状をなす。側板部２２２の各々の相互に対向する内側面間の水平距離（間隔）は、内側樋部材２０２の側板部２１２の各々の全幅よりもわずかに大きく形成されている。側板部２２２の各々の上端面から受け板部２２４の上面までの鉛直距離は、内側樋部材２０２のリブ２１４の各々の下面から底板部２１０の下面までの鉛直距離とほぼ同じに形成されている。
【００３０】
平面形状が十字形の受入部材２０４Ｂは、図１１及び図１７から容易に理解されるように、ほぼ同じ長さの４個の受入部材２０４Ａを相互に直交するように突き合わせて溶接により固着することにより一体に形成されている。この実施形態において、４個の受入部材２０４Ａの受け板部２２４及び底板部２２０の先端部は、相互に実質的に隙間無く突き合わせることができるよう、平面９０°の角度をもって側板部２２２の先端から突出するよう形成されている。
【００３１】
コンクリート床２４は次のとおりにして形成される。図２及び図３〜図５を参照して、先ず、先に述べたとおりにして、複数の側縁樋部材１０２を、主要構造物の側縁外側に沿ってほぼ水平に延在するよう配設する。側縁樋部材１０２の各々は、上記水平支持面Ｓを覆うことなく上記水平支持面Ｓの側縁に沿って延在するよう配設する。具体的には、側縁樋部材１０２の各々は、立体構築物２の、縦方向の両端に配設された直立壁部材４及び６の上端面と水平横梁部材８の上面、立体構築物２の、横方向の両端に配設された水平縦梁部材１０及び１２の各々の上面、及び立体構築物２の、縦方向の中間に配設された直立壁部材４及び６の上端面における、立体構築物２の横方向の側縁部、を覆うことなく上記水平支持面Ｓの側縁に沿って延在するよう配設する。
【００３２】
続いて、受入部材２０４を、側縁樋部材１０２の内側において相互に交差してほぼ水平方向に延在しかつ側縁樋部材１０２に対しては、先端面が側縁樋部材１０２の内側面に対向するよう上記水平支持面Ｓにおける一部領域（所定領域）に配設する。上記水平支持面Ｓは、直立壁部材４及び６の上端面、水平横梁部材８の各々の上面、水平縦梁部材１０及び１２の各々の上面、及び中間水平縦梁部材１４の各々の上面により、全体として平面矩形をなし、かつ相互に直交して複数の平面矩形空間が形成されるよう配設されている。
【００３３】
直線状に細長く延在する受入部材２０４Ａは、立体構築物２の、縦方向の両端に配設された、直立壁部材４及び６と水平横梁部材８とを除く直立壁部材４及び６の上端面と水平横梁部材８の上面であって、直立壁部材４及び６における一部領域である幅方向（立体構築物２の縦方向）の中央部と水平横梁部材８における一部領域である幅方向（立体構築物２の縦方向）の中央部、立体構築物２の、横方向の両端に配設された水平縦梁部材１０及び１２の各々の上面を除く水平縦梁部材１０及び１２の各々の上面における一部領域である幅方向（立体構築物２の横方向）の中央部、及び、中間水平縦梁部材１４の各々の上面における一部領域である幅方向（立体構築物２の横方向）の中央部に配設する。受入部材２０４Ａの各々が交差する領域の各々には、平面形状が十字形の受入部材２０４Ｂを配設する。十字形の受入部材２０４Ｂの先端と側縁樋部材１０２の内側との間、又は十字形の受入部材２０４Ｂの先端と他の十字形の受入部材２０４Ｂの先端との間に、それぞれ直線状に延在する受入部材２０４Ａを配置する。なお、受入部材２０４Ａ及び２０４Ｂの幅（底板部２２０の幅）は、直立壁部材４及び６、水平横梁部材８、水平縦梁部材１０及び１２及び中間水平縦梁部材１４の各々における幅よりも狭く形成されている。
【００３４】
受入部材２０４Ａ及び２０４Ｂの、直立壁部材４及び６、水平横梁部材８、水平縦梁部材１０及び１２及び中間水平縦梁部材１４の各々に対する固定手段は、図１３に示されているようにねじ部材２２６により締結する手段が一般的であるが、この他にも、接着剤あるいは粘着テープにより接着する手段も可能である。
【００３５】
次に、図１２、図１３及び図１７に示されているように、内側樋部材２０２を受入部材２０４Ａ及び２０４Ｂに装着する。この装着は、内側樋部材２０２の、リブ２１４より下方の領域を、受入部材２０４Ａ及び２０４Ｂの、側板部２２２間における受け板部２２４より上方の領域に上方から嵌合させる、ないし差し込むことにより、容易かつ迅速に行うことができる。このとき、図１４及び図１５に示されているように、受入部材２０４Ａ及び２０４Ｂと内側樋部材２０２との間に薄板状のシール部材２３０を挟み込むことにより、所要のシール性が確保され、完全な防水効果を得ることができる。薄板状のシール部材２３０としては、比較的軟質の、弾性を有するシール部材であることが好ましく、例えば、スポンジゴム、ウレタンゴムなどが好適である。
【００３６】
内側樋部材２０２が受入部材２０４Ａ及び２０４Ｂに嵌合装着された状態で、内側樋部材２０２におけるリブ２１４の各々の下面は、受入部材２０４Ａ及び２０４Ｂの側板部２２２の上端面に対向して位置付けられ、内側樋部材２０２の底板部２１０の下面は、受入部材２０４Ａ及び２０４Ｂの受け板部２２４の上面に対向して位置付けられる（図１２、図１３及び図１５参照）。
【００３７】
内側樋部材２０２は、相互に交差する領域において、すなわち受入部材２０４Ｂに嵌合された領域において、一端を相互に突き合わせて位置付ける（図１７参照）。内側樋部材２０２の突き合わせ部の平面形状は、先に述べた、受入部材２０４Ｂの突き合わせ部の平面形状と同じように形成される。内側樋部材２０２の他端部は、他の受入部材２０４Ｂにおいて、他の内側樋部材２０２の一端に突き合わせるか、又は側縁樋部材１０２の内側の側板部１０６の上端部に形成された切欠き２３２に上方から嵌合させて側縁樋部材１０２内に突出させる（図４、図１８及び図１９参照）。なお、側縁樋部材１０２の底板部１０４の高さは内側樋部材２０２の底板部２１０よりも低い位置に配置されている、
【００３８】
図３〜図６を参照して説明を続ける。内側樋部材２０２は、側縁樋部材１０２の内側において相互に交差してほぼ水平方向に延在しかつ側縁樋部材１０２に連通するよう主要構造物に配設されることにより排水手段が形成される。この状態で、側縁樋部材１０２と内側樋部材２０２とに実質的に囲まれた矩形状の水平空間、及び内側樋部材２０２に囲まれた矩形状の水平空間、の下面を実質的に閉塞するよう平板状の下型枠２４０をサポート２４２などを利用してセットした後、該空間にそれぞれコンクリートが実質的に充填されるよう打設する。
【００３９】
すなわち、本発明による立体構築物２におけるコンクリート床２４の形成方法によれば、立体構築物２における上記主要構造物に、コンクリートユニット２２の一部領域が支持される上記水平支持面Ｓを配設し、内側樋部材２０２を上記水平支持面Ｓにおける一部領域を覆うよう受入部材２０４Ａ及び２０４Ｂを介して配設し、側縁樋部材１０２を上記水平支持面Ｓを覆うことなく上記水平支持面Ｓの側縁外側に沿って延在するよう配設することにより、上記水平空間の少なくとも周縁部の下面を上記水平支持面Ｓの露呈領域により形成する。そして、上記水平空間の、上記水平支持面Ｓの露呈領域の内側に形成される開放領域を実質的に閉塞するように平坦な上面を有する下型枠２４０を、該上面が上記水平支持面Ｓと実質的に共通の水平面上に位置するようセットする。続いて、該水平面上において上記水平空間の各々にそれぞれコンクリートが実質的に充填されるよう打設する。このようにして、複数のコンクリートユニット２２が形成され、コンクリートユニット２２の各々により実質的にコンクリート床２４が形成される。なお、図示はされていないが、該空間内には、あらかじめ適宜の構成を有する鉄筋を組み立てておく。したがって、コンクリートユニット２２の各々は鉄筋を内蔵した鉄筋コンクリートユニット２２を構成する。コンクリートユニット２２の各々の上面と、側縁樋部材１０２の各々の最上面（フランジ１０６ａの上面）及び内側樋部材２０２の各々の最上面（フランジ２１６の上面）とは、実質的に水平な共通の床面を形成する。なお、コンクリート床１８も、実質的に同じようにして形成することができる。
【００４０】
上記説明から明らかなように、本発明によれば、側縁樋部材１０２の各々及び内側樋部材２０２の各々を、それぞれ受入部材３３、及び受入部材２０４Ａ、２０４Ｂに対し、上方から嵌合するだけの簡単な作業により組付けることができるので、低コスト及び短い施工期間で完全な防水効果を得ることを可能にする。また、側縁樋部材１０２の各々、内側樋部材２０２の各々及び受入部材２０４Ａ、２０４Ｂの各々は、排水機能、コンクリートの収縮によって生ずるクラックを防止するための目地板としての機能及びコンクリート打設時における型枠としての機能を兼ね備えているので、上記効果の達成に大きく寄与し、実用上、きわめて有用である。コンクリート床２４上の雨水は、内側樋部材２０２、側縁樋部材１０２及びフェンス用支柱３０を通して円滑に排水できるので、簡単な構成で優れた排水性を確保できる。内側樋部材２０２の各々のフランジ２１６は、内側樋部材２０２の各々の上端溝幅を最小限に狭くしているので、歩行及び車両の走行を円滑にする。また組付け作業性をも向上させる。コンクリートが打設された図6に示される状態において、内側樋部材２０２の各々は、各々のリブ２１４を介して受入部材２０４Ａ及び２０４Ｂに受け止められる。リブ２１４の各々はまた、内側樋部材２０２の浮き上がりを防止すると共に、止水板として漏水を防止する機能をも有している。側縁樋部材１０２、内側樋部材２０２及び受入部材２０４Ａ、２０４Ｂは、それぞれアルミニウムから一体に形成されているので、腐食しにくく、錆びることがないので、優れた耐久性及び外観を確保できる。
【図面の簡単な説明】
【００４１】
【図１】本発明の実施形態を含む立体構築物の斜視図。
【図２】図1に示す立体構築物の一部を除去して内部構成の一部を示す斜視図。
【図３】図1に示す立体構築物に含まれる排水手段の一部を概略的に示す平面図。
【図４】図1に示す立体構築物に含まれる排水手段の一部を分解して示す平面図。
【図５】図３のＡ−Ａ矢視断面図。
【図６】図1に示す立体構築物に含まれるコンクリート床の構成を説明するため、該コンクリート床を簡略化して示す斜視図であって、一部を断面にして示す斜視図。
【図７】図6に示す側縁樋部材の、梁部材に対する取付部及びその周辺を示す断面図。
【図８】図7の平面概略図。
【図９】側縁樋部材の、直立壁部材に対する取付部及びその周辺を示す断面図。
【図１０】図９の平面概略図。
【図１１】内側樋部材の、受入部材に対する嵌合位置関係を示す斜視図。
【図１２】内側樋部材が受入部材に嵌合された状態を示す斜視図。
【図１３】受入部材の、梁部材に対する固着手段を分解して示す断面図。
【図１４】受入部材に薄板シール部材を挿入して内側樋部材を嵌合する直前の状態の位置関係を示す断面図。
【図１５】内側樋部材を受入部材に薄板シール部材を挟んで嵌合した状態を示す断面図。
【図１６】十字型の受入部材の斜視図。
【図１７】十字型の受入部材に内側樋部材が嵌合された状態を示す部分平面図。
【図１８】内側樋部材の、受入部材及び側縁樋部材に対する嵌合位置関係を示す側面図であって、一部を断面にして示す側面図。
【図１９】内側樋部材が、受入部材及び側縁樋部材に嵌合された状態を示す側面図であって、一部を断面にして示す側面図。
【符号の説明】
【００４２】
２：立体構築物
１６、２２：コンクリートユニット
１８、２４：コンクリート床
１００：側縁樋手段
１０２：側縁樋部材
２００：内側樋手段
２０２：内側樋部材
【図１】
2005048555.tif 000003
【図２】
2005048555.tif 000004
【図３】
2005048555.tif 000005
【図４】
2005048555.tif 000006
【図５】
2005048555.tif 000007
【図６】
2005048555.tif 000008
【図７】
2005048555.tif 000009
【図８】
2005048555.tif 000010
【図９】
2005048555.tif 000011
【図１０】
2005048555.tif 000012
【図１１】
2005048555.tif 000013
【図１２】
2005048555.tif 000014
【図１３】
2005048555.tif 000015
【図１４】
2005048555.tif 000016
【図１５】
2005048555.tif 000017
【図１６】
2005048555.tif 000018
【図１７】
2005048555.tif 000019
【図１８】
2005048555.tif 000020
【図１９】
2005048555.tif 000021